(57)【要約】この発明は、コンクリートコンポーネント、特に、せん断応力補強コンクリートコンポーネントにおけるコンポーネント及びそれらの適用に関する。新規のコンクリートコンポーネントが提案されている。このコンポーネントは、屈曲性補強部材は別として、少なくともこの屈曲性補強部材を少なくとも部分的に取り囲む新規なコンポーネントの形の異なるタイプのせん断補強部材も意図している。
2006519944.tif 000002
【特許請求の範囲】
【請求項１】
補強コンクリートあるいはプレストレストコンクリートコンポーネント（１）のためのコンクリート補強エレメント（１０）であって、
そのコンポーネントはその上側及び下側の表面上において、少なくとも一つの内層（Bo y、Bu y）及び少なくとも一つの外層（Bo x、Bu x）によって形成された少なくとも一つの補強層（Bo、Bu）を特徴とし、
コンクリート補強エレメントは、補強コンクリートあるいはプレストレストコンクリートコンポーネント（１）の厚さを概ねカバーする主要コンポーネント（１２）を有し、その主要コンポーネントは、上側及び下側の補強層（Bo、Bu）の少なくとも一つの内層（Bo y、Bu y）の最も内側の層の少なくとも上方及び下方に突き出しており、
主要コンポーネント（１２）は２次元構造体であり、その上部（１４）及びその下部（１５）の各々における少なくとも一つの保持エレメント（２０）を特徴とし、その保持エレメントが上側及び下側の補強層（Bo、Bu）のコンクリート補強エレメント（S）のコンポーネントの周辺を少なくとも部分的に取り囲むように形成されているコンクリート補強エレメント。
【請求項２】
少なくとも一つの保持エレメント（２０）が、２次元構造体（１２）の内部に形成されたリセス（３０）である請求項１記載のコンクリート補強エレメント。
【請求項３】
リセス（３０）が２次元構造体（１２）の長手方向エッジ（１６）へ開口している請求項２記載のコンクリート補強エレメント。
【請求項４】
リセス（３０）が２次元構造体（１２）の長手中心（M）に対して垂直に延びている請求項３記載のコンクリート補強エレメント。
【請求項５】
リセス（３０）が２次元構造体（１２）の長手中心（M）に対して角度（a）で延びている請求項３記載のコンクリート補強エレメント。
【請求項６】
リセス（３０）がおおよそ２次元構造体（１２）の長手中心（M）に配置されるか、そこまで延びている請求項２〜５のいずれか一項記載のコンクリート補強エレメント。
【請求項７】
少なくとも二つのリセス（３０）が２次元構造体（１２）の内部に形成されており、両方がその長手中心（M）に対して対称に配置されている請求項２〜６のいずれか一項記載のコンクリート補強エレメント。
【請求項８】
リセス（３０）がスロットである請求項２〜７のいずれか一項記載のコンクリート補強エレメント。
【請求項９】
長手中心（M）に沿ったリセス（３０）が、上方及び／又は下方に向いた延出部（３２）を有することに特徴を有する請求項２〜８のいずれか一項記載のコンクリート補強エレメント。
【請求項１０】
リセス（３０）が、上側及び／又は下側の補強層（Bo、Bu）の挿入されるべきコンクリート補強エレメント（S）の位置を固定及び／又は固着するための固定用手段（３４）を有することに特徴を有する請求項２〜９のいずれか一項記載のコンクリート補強エレメント。
【請求項１１】
固定用手段（３４）が、長手方向エッジ（１６）から横方向にリセス（３０）の中へ挿入することができる請求項１０記載のコンクリート補強エレメント。
【請求項１２】
固定用手段（３４）が、受容部（３５）に挿入されるくさび、弾性クリップあるいはピンである請求項１０又は１１記載のコンクリート補強エレメント。
【請求項１３】
固定用手段（３４）が、マーキング、特に、色付けされたマーキング（３６）を支持している請求項１０〜１２のいずれか一項記載のコンクリート補強エレメント。
【請求項１４】
２次元構造体（１２）が構造鋼から形成されている請求項１〜１３のいずれか一項記載のコンクリート補強エレメント。
【請求項１５】
２次元構造体（１２）が少なくとも1mmの厚さであることに特徴を有する請求項１〜１４のいずれか一項記載のコンクリート補強エレメント。
【請求項１６】
少なくとも一つの保持エレメント（２０）が、２次元構造体（１２）の端部側に形成された単一あるいは二つの曲げ部（４０）である請求項１〜１５のいずれか一項記載のコンクリート補強エレメント。
【請求項１７】
２次元構造体（１２）が断面において凹状に形成されている請求項１〜１６のいずれか一項記載のコンクリート補強エレメント。
【請求項１８】
凹部（２４）が上側と下側の補強層（Bo、Bu）の間に形成されている請求項１７記載のコンクリート補強エレメント。
【請求項１９】
２次元構造体（１２）の少なくとも二つが、上側及び下側の補強層（Bo、Bu）の少なくとも一つのコンクリート補強エレメント（S）の長手方向に互いに隣接して配置されている請求項１〜１８のいずれか一項記載のコンクリート補強エレメント。
【請求項２０】
２次元構造体（１２）の少なくとも二つがV字形状に配置されている請求項１９記載のコンクリート補強エレメント。
【請求項２１】
２次元構造体（１２）の少なくとも二つが、互いにほぼ平行に配置され、フラットバー（２６）によって連結されている請求項１９記載のコンクリート補強エレメント。
【請求項２２】
２次元構造体（１２）の少なくとも二つが、互いにほぼ平行に配置され、クランプ（２８）によって連結されている請求項１９記載のコンクリート補強エレメント。
【請求項２３】
２次元構造体（１２）が、その長手中心（M）に対して垂直に、下側半分（５０）と上側半分（６０）とに分割されている請求項１〜２２のいずれか一項記載のコンクリート補強エレメント。
【請求項２４】
下側半分（５０）と上側半分（６０）とが分離可能な状態で互いに連結されている請求項２３記載のコンクリート補強エレメント。
【請求項２５】
下側半分（５０）と上側半分（６０）とが連続した強度及び／又は形で互いに連結されている請求項２３又は２４記載のコンクリート補強エレメント。
【請求項２６】
２次元構造体（１２）の上側半分（６０）がS字形状あるいはZ形状のコイル状ロッド（６６）から形成されている請求項２３〜２５のいずれか一項記載のコンクリート補強エレメント。
【請求項２７】
好ましくは構造鋼から形成されたコンクリート補強エレメント（１０）であって、
コンクリート補強エレメント（１０）の上部及び／又は下部（１４、１５）に設けられた少なくとも一つの保持エレメント（２０）を特徴とし、
一つの保持エレメント（２０）が、特に請求項１〜２６のいずれか一項記載のコンクリートコンポーネント（１）における補強バーなどの連結されるエレメント（S）を受容する連続した強度のために、サイドリセス（３０）の形を有しており、
コンクリート補強エレメント（１０）は、サイドリセス（３０）の開口部の狭いエッジで見たときに、コンクリート補強エレメント（１０）の下部が上部に対して、あるいは中央部が上部及び下部に対してシフトしていることに特徴を有し、これらの同じコンクリート補強エレメント（１０）の二つは、それらがサイドリセスの側部の方へ向けて互いの上へ押し付けられたときに、ダブテールを形成し、また、両方のサイドリセス（３０）を部分的に覆うことによって、両方のコンクリート補強エレメント（１０）の中に達する穴が形成され、別のエレメント（S）へ連結するためにこの中に挿入されるエレメントが上方及び／又は下方へ滑らないように固定されるコンクリート補強エレメント。
【請求項２８】
好ましくは構造鋼から形成されたコンクリート補強エレメント（１０）であって、
コンクリート補強エレメント（１０）の上部及び／又は下部（１４、１５）に設けられた少なくとも一つの保持エレメント（２０）を特徴とし、
一つの保持エレメント（２０）が、特に請求項１〜２６のいずれか一項記載のコンクリートコンポーネント（１）における補強バーなどの連結されるエレメント（S）を受容する連続した強度のために、サイドリセスの形を有しており、
コンクリート補強エレメント（１０）は、狭い上側あるいは下側のエッジで見たときに、コンクリート補強エレメント（１０）の左部分が右部分に対して、あるいは中央部が左部分及び右部分に対してシフトしていることに特徴を有し、これらの同じコンクリート補強エレメント（１０）の二つは、それらが上方あるいは下方から狭い上側あるいは下側のエッジ上で互いの上に押し付けられたときに、ダブテールを形成し、また、両方のサイドリセス（３０）を部分的に覆うことによって、両方のコンクリート補強エレメント（１０）の中に達する穴が形成され、別のエレメント（S）へ連結するためにこの中に挿入されるエレメントが左及び／又は右へ滑らないように固定されるコンクリート補強エレメント。
【請求項２９】
請求項１〜２８のいずれか一項記載のコンクリート補強エレメント（１０）を少なくとも一つ有する補強コンクリートあるいはプレストレストコンクリートコンポーネント（１）。
【請求項３０】
補強コンクリートあるいはプレストレストコンクリートコンポーネント（１）であって、
このコンポーネントは、ｘ方向（Bo x、Bu x）又は／及びｙ方向（Bo y、Bu y及びBo x、Bu x）のいくつかの補強バー(S)から成る屈曲性補強部材として、少なくとも一つの補強層（Bo、Bu）をコンポーネントの上側及び下側の表面上に提供し、せん断力耐性を増大させるために、少なくとも一つのコンクリート補強エレメント（１０）が２次元コンポーネントとして提供され、特に、請求項１〜２８のいずれか一項記載の少なくとも最も上側あるいは下側のそれぞれの補強層（Bo、Bu）のそれぞれ最も内側の上方及び下方まで基本的にコンポーネントの厚さにわたって延び、
２次元コンポーネント（１０）がそれぞれその上部及び下部（１４、１５）に設けられた少なくとも一つの保持エレメント（２０）に特徴を有し、この保持エレメントは少なくとも一つの上側及び下側の補強層（Bo、Bu）のエレメント（S）あるいは追加的に取り付けられた補強バーの一つの一部の周辺を少なくとも部分的に取り囲むように形成されており、従って、上側及び下側の補強層の少なくとも一つのエレメントを連続した強度で連結する役割を果たすようになっているコンクリートコンポーネント。
【請求項３１】
構造鋼によって実現されているとき、２次元コンポーネント（１０）が少なくとも1mmの厚さであることに特徴を有する請求項３０記載のコンクリートコンポーネント。
【請求項３２】
２次元コンポーネント（１０）の上側あるいは下側の保持エレメント（２０）の少なくとも一つが２次元構造体（１０、１２）に形成されたリセス（３０）として実現されている請求項３０又は３１記載のコンクリートコンポーネント。
【請求項３３】
２次元コンポーネント（１０）の上側あるいは下側の保持エレメント（２０）の少なくとも一つが一方あるいは両方の側部（１６）にサイドリセス（３０）の形で配置されており、下側補強層から上側補強層まで延びており、例えば、スロットの形をしている請求項３０〜３２のいずれか一項記載のコンクリートコンポーネント。
【請求項３４】
２次元コンポーネント（１０）の少なくとも一つのサイドリセス（３０）が２次元コンポーネント（１０）の幅のほぼ中心（M）に達している請求項３３記載のコンクリートコンポーネント。
【請求項３５】
２次元コンポーネントの少なくとも一つのサイドリセス（３０）が、側部から斜め下方あるいは上方へ延び、コンクリートコンポーネント（１０）の上側あるいは下側の表面の方へ向けられている請求項３３又は３４記載のコンクリートコンポーネント。
【請求項３６】
２次元コンポーネント（１０）の少なくとも一つのサイドリセス（３０）が、側部開口部から一定の距離にあるリセスの上方又は／及び上方への延出部（３２）を有することに特徴を有し、上側あるいは下側の補強層（Bo、Bu）のエレメント（S）を少なくとも部分的に受容するようになっている請求項３３〜３５のいずれか一項記載のコンクリートコンポーネント。
【請求項３７】
２次元コンポーネント（１０）の少なくとも一つのサイドリセス（３０）が、エレメント（S）を固定する固定用手段（３４）に特徴を有し、固定用手段は、リセス（３０）の中に挿入された上側あるいは下側の補強層（Bo、Bu）のエレメント（S）がリセス（３０）から滑ったり摺動したりして外れないように固定するためのものである請求項３３〜３６のいずれか一項記載のコンクリートコンポーネント。
【請求項３８】
２次元コンポーネント（１０）の固定用手段（３４）が、
・少なくとも一つのサイドリセス（３０）の開口部をくさび止めするためのくさび、又は、
・必要な歪みがもたらされないようにサイドリセス（３０）の開口部の両端に伸長された弾性クリップ、例えば、通常の状態においては伸びた弾性プラスチックストリップあるいは金属ストリップの形をした弾性クリップ、又は、
・コンポーネント（１０）におけるドリル穴（３５）とそこへ挿入されるピン（３４）とのシステム、
であり、ドリル穴は、コンポーネント（１０）の上限あるいは下限及びリセス（３０）の反対側によって形成された脚を少なくとも貫いて、リセス（３０）の方向に配置され、必要に応じて、脚と反対側に位置するコンポーネント（１０）の部分まで達するようになっており、
固定用手段（３４）は、固定状態をマーキングするために、好ましくは、明るい色で実現されているか、そうした色で特徴付けられた標識手段（３６）と連結されている請求項３７記載のコンクリートコンポーネント。
【請求項３９】
２次元コンポーネント（１０）が、リセス（３０）は別として、保持エレメント（２０）として特徴付けられ、コンポーネント（１０）の上端あるいは下端において上側あるいは下側の補強層（Bo、Bu）のエレメント（S）を取り囲むために設けられた単一あるいは二つの曲げ部（４０）を有している請求項３０〜３８のいずれか一項記載のコンクリートコンポーネント。
【請求項４０】
請求項３０〜３９によるいくつかのコンポーネント（１０）が意図されており、これらがそれらの上部又は／及び下部においてバーやフラットバーなどの連結コンクリート補強エレメント（２６）を介して連結されている請求項３０〜３９のいずれか一項記載のコンクリートコンポーネント。
【請求項４１】
連結コンクリート補強エレメント（２６）が、既存の少なくとも一つの上側あるいは下側の補強層（Bo、Bu）の最も外側の各々の下方又は／及び上方における追加のコンクリート補強エレメントとして用いられ、そして、複数の上側及び下側の補強層（Bo、Bu）が存在する場合には、その複数の上側又は／及び下側の層の間にも交互に用いられる請求項４０記載のコンクリートコンポーネント。
【請求項４２】
コンポーネント（１０）と連結コンクリート補強エレメント（２６）との間の連結が、コンポーネント（１０）のリセス（３０）を介した挿通あるいは溶接として実現され、溶接の場合には、コンクリート補強エレメント（２６）はフラットバーあるいはフラット金属シートとして実現されることが好ましく、少なくとも２次元コンポーネント（１０）の上側あるいは下側において、上側及び下側の補強層（Bo、Bu）の間を延びるエッジから突き出している請求項４１記載のコンクリートコンポーネント。
【請求項４３】
２次元コンポーネント（１０）が少なくとも一つのサイドリセス（３０）を有し、そのサイドリセス（３０）がコンクリートコンポーネント（１）の上側あるいは下側の表面につながるスロットの形で実現されており、２次元コンポーネント（１０）は、リセスの側部から見たときに、コンポーネント（１０）の下部が上部に対して、あるいは中央部が上部及び下部に対してシフトしており、これら同じコンポーネント（１０）の二つは、サイドリセスの側部の方へ向けて互いの上へ押し付けられたときに、ダブテールを形成し、また、両方を完全に覆うことによって、サイドリセス（３０）が両方のコンポーネント（１０）の中に達する穴が形成され、この中に挿入されるコンクリート補強エレメント（S）が上方及び／又は下方へ滑らないように固定されるコンクリートコンポーネント。
【発明の詳細な説明】
【技術分野】
【０００１】
この発明は請求項１で使用されている一般用語によるコンクリート補強エレメント、及び請求項３０ｄ使用されている一般用語によるこのエレメントを使用して製造される補強コンクリートもしくはプレストレストコンクリート部材に関する。
【０００２】
支持型の補強コンクリート天井などのせん断応力補強コンクリートもしくはプレストレストコンクリート部材は、せん断安全性を確保するために、天井の柱の部分にせん断補強が必要である。
【０００３】
周知のせん断補強には以下のものがある。すなわち、S字状フック（これはDIN 1045によればもう許可されていないが）あるいはスターラップ、ドエルバー、ダブルヘッドドエル、オープンウェブガーダ、トブラーヴァルム(Tobler  Walm)、「ゲイリンガークラーゲン(Geilinger  Kragen)」、保持プレートメッシュ、「リスシュテルン(Riss  Stern)」などの形をしたせん断補強エレメントを有するコンクリート補強鋼から形成されたものがある。
【０００４】
S字状フックあるいはスターラップの形の補強エレメントを有するせん断補強は、固定が悪いため、せん断補強が剥がれないようにするためには、一般的に利用可能な細長い屈曲性補強部材でまわりが囲わなければならない。これは、せん断力耐性をある程度増加させているにすぎないことに留意しなければならない。コンクリート補強エレメントの取り付けは複雑であるため、経費がかかる。また、スターラップなどの従来のコンクリート補強エレメントは、コンクリート補強の程度が大きかったりせん断補強の比率が高かったりする場合には、もはや取り付け不可能であると考えられる。
【０００５】
別の選択肢はドエルバーを使うことである。ドエルバーは、通常、下側の枠組み上に設置され、もし可能であれば、バーの断面によって補強の下層を取り囲まれる。しかし、荷重耐久能力を得るには、バーの正確な位置合わせや固定が重要となる。これは、建設現場では、常に確保されるというわけではない。さらに、ドエルバーは個別に製造されて、溶接される。これは、コストが非常に大きくなるものの、せん断力耐性にほとんど明瞭な改善をもたらさない。
【０００６】
補強の上層及び下層に対する連結エレメントあるいはスペーサは、DE-U1-7118881、DE-U1-29814923、DE-OS-2111243あるいはDE-OS-1913104から周知のものである。しかし、これらのエレメントはコンクリート補強エレメントとしての機能は有していない。そうではなくて、それらはコンクリートが注ぎ込まれる前に、対象の補強バーをコンクリートコンポーネントの中における所望の位置あるいは場所に固定するだけである。これはコンクリート天井のパンチングせん断強度には影響せず、横方向の荷重耐久能力にさえ影響しない。
【０００７】
ダブルヘッドドエル、トブラーヴァルム、「Geilinger  Kragen」などの周知の他のコンクリート補強エレメントは、特に、天井サポートの部分において、補強コンクリートあるいはプレストレストコンクリートコンポーネントの荷重耐久能力あるいはパンチングせん断強度を改善することができる。しかし、コンクリートコンポーネントの横方向荷重耐久能力はそれらを使用することによってはほとんど影響されない。さらに、ほとんど現場で個別に製造する必要のあるこれらのエレメントは、非常に製造に費用がかかる。それらは取り付け及び製造の両方において多大な時間もかかるが、そのような多大な時間は建設現場では利用できないことが多い。
【発明の開示】
【０００８】
この発明の目的は、補強コンクリートあるいはプレストレストコンクリートコンポーネントの中に取り付けられる構造が単純で製造が安価なコンクリート補強エレメントを提供することによって、従来の技術のこうした欠点やその他の欠点を克服することである。また、この発明は、取り付けを迅速かつ容易に行えるようにしつつ、補強バーの間におけるコンクリート補強エレメントの良好な固定を実現することである。コンクリート補強エレメントは、仕上がった補強コンクリートあるいはプレストレストコンクリートコンポーネントの安定性を改善しなければならず、特に、コンポーネントの横方向荷重耐久能力を著しく増強させなければならない。補強コンクリートあるいはプレストレストコンクリートコンポーネントは、また、安価に製造でき、取り扱いが容易でなければならない。
【０００９】
この発明の主な特徴は、請求項１、２７、２８、２９及び３０の特徴部分に記載されている。アレンジメントは請求項２〜２６及び請求項３１〜４３の主題である。
コンクリートコンポーネントの表面上に配置される補強部材の上層及び下層を適当な上側及び下側保持エレメントとともに、連続した強度で一体に連結する２次元(bi-dimensional)コンポーネントの形のコンクリート補強エレメントが、この発明の核を形成している。これが、補強コンクリートあるいはプレストレストコンクリートコンポーネントのせん断力耐性は著しく増大させる。
【００１０】
このコンクリート補強エレメントは簡単な自由落下パンチング部材として製造することができ、必要に応じて、それに曲げ部(splay)が追加される。これによって、非常に経済的な製造が可能となり、それが、コンクリートコンポーネントの製造コストに対して好ましい効果をもたらす。
コンクリート補強エレメントは取り扱いが容易で、組み付けが迅速に行える。それらは単に引っ掛けるだけである。例えば、溶接作業の場合のような特別な知識や技能が必要とされるわけではない。
【００１１】
保持エレメントは、２次元コンポーネントのドリル穴、サイドリセス及び／又は曲げ部として実現が可能である。これらは、補強部材の上層が複数あり、下層が複数ある場合には、補強部材の上層及び下層の各々の少なくとも最も内側の層を取り囲む。
驚くべきことに、この種のコンクリート補強エレメントは、コンクリートコンポーネントの内部で補強部材の層と相互作用するような形でこの発明に従って取り付けられたとき、従来の構造と比較して、パンチングせん断強度だけでなく、特に、せん断力耐性が改善されることがわかった。
【００１２】
この驚くべき結果に加えて、通常の構造鋼を使用するとき、最小限の厚さ、例えば、1mmという厚さの２次元コンポーネントで十分であることもわかった。このことは、生産コストに非常に好ましい効果がある
この発明のその他の特徴、詳細及び利点は、図面を用いた実施の形態に対する以下の説明とともに特許請求の範囲から生じる。
【００１３】
図１において一般に参照番号１０で表されているコンクリート補強エレメントは、補強コンクリートあるいはプレストレストコンクリートコンポーネント１（ここでは、それ以上詳しく表されていない）で使用されるものである。それは、主要部分１２として、構造鋼から形成された単純な平板構造を有している。この構造体は、その上部１４及びその下部１５に各々リセス３０を有している。リセスはスロットによって形成されている。スロットは、２次元構造体１２の側部の長手方向エッジ１６へ開口しており、また、２次元構造体１２の長手中心Mから垂直に延びている。
【００１４】
各リセス３０は、コンクリート補強エレメントS（これも、ここには描かれていない）に対する保持エレメント２０、特に、補強コンクリートあるいはプレストレストコンクリートコンポーネント１における上側及び下側の補強層Bo、Buの補強バー（図２６を参照のこと）に対する保持エレメント２０を形成している。これらはコンポーネント（これも、ここではそれ以上詳しく示されていない）の各表面に配置されている。それらは、少なくとも一つの内層Bo y、Bu yと、内層に対して垂直方向に延びる少なくとも一つの外層Bo x、Bu xとによって形成されている。
【００１５】
組み付けのときには、２次元構造体１２は、その側部へ開口するリセス３０で、お互いの真上に位置して同じ方向に延びる内層Bo y、Bu yの二つの補強バーS上へ単純に設置される。このことは、各補強バーが少なくとも部分的に取り囲まれることを意味している。リセス３０の隙間は、２次元構造体１２が摩擦力の伝達で補強バーS上へしっかりと着座するように計算されており、コンクリートを注ぎ込むときにそれが緩まないようになっている。
【００１６】
したがって、重要なことは、各コンクリート補強エレメント１０は常にその２次元構造体１２に対して横方向に、そして、補強バーSに対して好ましくは垂直方向に配置されていて、全体として、補強コンクリートあるいはプレストレストコンクリートコンポーネント１の厚さにわたって、すなわち、上側及び下側の補強層Bo、Buの少なくとも一つの内層Bo y、Bu yの最も内側の少なくとも上部及び下部の各々まで延びていることである。従って、これらの補強層は連続した強度で一体に連結される。
【００１７】
比較測定によって示されたことは、驚くべきことに、この発明によるコンクリート補強エレメント１０は、従来の構造に比べて、補強コンクリートあるいはプレストレストコンクリートコンポーネント１のせん断力耐性とともにパンチングせん断強度を著しく増大させるということである。ここでは、従来の構造鋼を用いて、1mmの厚さの２次元構造体１２を製造すれば十分である。これは材料コストに対して非常に好ましい効果がある。
【００１８】
コンクリート補強エレメント１０の別の利点は、その簡単な幾何学的形状のために、例えば、自由落下パンチング部材として製造することができ、それによって、製造コストがさらに下がることである。それらは取り付けが迅速かつ簡単であり、特殊な知識や技能を必要としない。これも、補強コンクリートあるいはプレストレストコンクリートコンポーネント１に対する製造コストを著しく下げることにつながる。
【００１９】
図２の実施の形態においては、コンクリート補強エレメント１０は上部１４に保持エレメント２０としてスロット３０を有している。一方、下部１５には、円形あるいは楕円形のリセス３０が示されている。
【００２０】
図３の実施の形態は、保持エレメント２０として側部で開口した二つのスロット３０を示している。これらのスロットは２次元構造体１２の長手中心Mに対して角度aで斜めに上部へ延びている。これに対して、図４の形状は、スロット３０が角度aで下方へ斜めに延びるようなものになっている。両方の場合とも、補強バーSへのコンクリート補強エレメント１０の設置が、特に、窮屈なスペースにおいて、より容易になる。
【００２１】
図５に示されているコンクリート補強エレメント１０は、補強コンクリートあるいはプレストレストコンクリートコンポーネント１の横方向荷重耐久能力が特に大きく増強されることがわかった。ここでは、２次元構造体１２の上部１４及び下部１５に対して、全部で4個の保持エレメント２０、すなわち、各々2個のリセス３０が示されている。これらのリセスは長手方向エッジ１６へ開口しており、長手中心Mに対して対称に配置されている。
【００２２】
従って、各コンクリート補強エレメント１０は上側及び下側の補強層Bo、Buの全部で4個の補強バーSをカバーしていて、連続した強度でそれらを一体に束ねている。これは、コンポーネント１の横方向荷重耐久能力に特に好ましい効果を有している。それと同時に、各コンクリート補強エレメント１０は補強層Bo、Buの間にしっかりと固定されている。それは、コンクリートを注ぎ込むときに、誤って落下したり、滑り落ちたりすることはない。補強層Bo、Buの間隔や位置は常に確実に固定されている。
【００２３】
補強バーSの保持エレメント２０への固定あるいはリセス３０内への固定をさらに改善するために、リセス３０にはそれぞれ上及び下に延出部３２が設けられ、コンクリート補強エレメント１０の長手方向エッジ１６の領域に、補強バーＳに対してノッチ状エッジ３３が形成される。
【００２４】
図６の実施の形態は、２次元構造体１２の上部１４におけるリセス３０の延出部３２が長手中心Mを横切るように配置されており、一方、下部１５に設けられたリセス３０は概ねL字形状、すなわち上方を向いた延出部３２を有していることを示している。ここで、長手方向エッジ１６へ開口しているリセス３０のサブ領域３１は長手中心に位置するリセス３０の部分よりも狭い隙間を有することがわかる。
【００２５】
コンクリート補強エレメント１０の上側及び下側の補強層Bo、Buの補強バーSをさらに固定するために、リセス３０には固定用手段３４が設けられている。これは、例えば、弾性材料から形成された概ねU字形状のクリップでよい。これは、その外側の脚の両側に圧力を加えて幅を狭めることができ、リセス３０の中に嵌め込むことができるようになっている（図７を参照のこと）。脚を解放すると、それらは２次元構造体１２に設けられたスロット３０の壁の内側に設置され、リセス３０の中に位置する補強バーは横方向に外側へ滑り出ることはなくなる。
【００２６】
図８の実施の形態においては、固定用手段３４はピンから構成されている。これらのピンは２次元構造体１２のゲーブル端部(gable-end)内あるいは側部に取り付けられた受容部３５に取り付けられる。建設現場でピン３４の挿入が容易にマークされ、認識できるように、好ましくは鮮やかな色の標識手段を使用することが有意義である。
【００２７】
また、回転ピン３４あるいは他の回転式ボルト部材や位置合わせ用ピンを２次元構造体１２の長手方向エッジ１６上に配置することもできる。そして、コンクリート補強エレメントSがコンクリート補強エレメント１０と位置合わせ用ピンとの間に設置された後、ピン３４がまわされる。ピン３４上の標識手段３６は、すべて同じ方向であることを示すか、あるいはコンクリート補強エレメント１０に対して同じ傾斜あるいは位置にあることを示すため、非常の多くのコンクリート補強エレメントに対してさえも、固定状態を素早くチェックすることができる。
【００２８】
図９は固定用手段３４に対するさらに有意義な実施の形態、たとえば、ストリップあるいは単純なくさびなどの単純な弾性部材の形態のものを示している。
【００２９】
この発明によるコンクリート補強エレメント１０に対する別の重要な実施の形態が図１０に示されている。保持エレメント２０は２次元構造体の上部１４において端部側に形成された簡単な曲げ部４０によって形成されている。好ましくは、これは、上側の補強層Bo（図２６の左側のエレメントを参照のこと）の外層Bo xの補強バーSを取り囲んでいる。２次元構造体１２の下部１５における保持エレメント２０はL字形状のリセス３０であり、このリセスは下側の補強層Buの内層Bu yの補強バーSを取り囲んでいる。
【００３０】
図１１から図１３によって示されているように、保持エレメント２０をリセス３０及び曲げ部４０の形を任意の方法で組み合わせることによって、内層あるいは外層Bo y、Bu y、Bo x、Bu xの補強バーSを同時に把持することができる。
図１１ａにおいては、上部１４上に形成された曲げ部４０は上方へ曲げられており、一方、下部１５に設けられた曲げ部４０は前方を向いている。従って、図１１ｂからわかるように、コンクリート補強エレメント１０は断面が概ねZ形状を形成しており、一方、図１２及び図１２ａの実施の形態は断面がU字形状をしている。
【００３１】
図１３ａ及び図１３ｂにおいては、曲げ部４０が二重あるいは多重に設けられており、従って、コンクリート補強エレメント１０は、図１５ｂに示されているように、断面をS字形状にすることができる。
【００３２】
図１６の実施の形態は図６の構造に基づいている。このことは、２次元構造体１２の上部１４及び下部１５において、連続した形で補強バーを取り囲む保持エレメント２０としての全部で4個のリセス３０が２次元構造体の長手中心に対して対称になることを意味している。リセス３０は長手方向エッジ１６へは開口していない。このことは、補強バーSが主として垂直方向に２次元構造体１２の中へ挿入されることを意味している。各場合において、追加の曲げ部４０が追加の保持エレメントとして上側及び下側の補強層Bo、Buの外層Bo x、Bu xを取り囲んでおり、コンクリート補強エレメント１０は、横方向の荷重耐久能力を向上させるために、補強コンクリートあるいはプレストレストコンクリートコンポーネント１内に最適な形で一体化されている。さらに、せん断力に歪みが生じたときに、その柔軟性も向上する。
【００３３】
同じ利点が、コンクリート補強エレメントのさらに別の形態（図１７を参照のこと）においても見られる。ここでは、２次元構造体１２は断面において凹状に形成されており、単純な直角の曲げ部によって形成された凹部２４が上側及び下側の補強層（Bo、Bu）の間に形成されている。
【００３４】
必要に応じて、コンクリート補強エレメント１０は4個よりも多くの補強バーSを取り囲むことができる。そのためには、２次元構造体１２はその長手中心Mに対して水平方向に延ばされる必要があり、保持エレメント２０の必要な数が追加されなければならない。
【００３５】
図１８の実施の形態においては、二つのコンクリート補強エレメント１０は、長手方向において少なくとも一つの補強バー（S）がV字形状に互いに隣接するように配置されている。このため、２次元構造体はそれらの上部１４において互いに連結されるか、一つの部材とされる。
【００３６】
図１９の構造形態は、互いに平行に立っている多数のコンクリート補強エレメント１０である。各２次元構造体１２は、T字形状になるように、その上部においてフラットバー２６へ結合されている。フラットバーは、上側の補強層のエレメントSを少なくとも部分的に保持するか、取り囲むために、コンクリート補強エレメント１０の幅よりも突き出している。
【００３７】
図２０の実施の形態は、コンクリート補強エレメント１０とフラットバー２６とから形成されている。これらはいっしょになってU字形状を形成している。これにより、フラットバーは、上側の補強層Boの少なくとも一つの補強バーSを取り囲んでいるため、保持エレメント２０としても機能する。
【００３８】
２次元構造体１２の上部１４に設けられたリセス３０は、図２１によって示されているように、長方形の形でも実現が可能であり、互いに隣接して配置された二つの平行なコンクリート補強エレメント１０をフレキシブルなスプリングクランプ２８で連結している。これにより、クランプ２８はその脚が（それ以上詳しくは説明されない）リセス３０の中に設置され、上側の補強層Boの少なくとも一つの補強バーSも取り囲んでいる。
【００３９】
この発明のさらに別の実施の形態が図２２〜図２４に示されている。すなわち、コンクリート補強エレメント１０の２次元構造体１２はその長手中心Mに対して垂直に下側半分５０と上側半分６０に分割されており、両方の半分５０、６０は取り外し可能な形で互いに連結されている。
【００４０】
これにより、例えば、天井部材などの補強コンクリートあるいはプレストレストコンクリートコンポーネントを予め形成することが可能であり、その場合、例えば、天井の下側半分の中にコンクリート補強エレメント１０の下側半分５０が形成されるか、注ぎ込まれる。従って、建設現場においては、欠けている上側の補強層Boだけが追加されればよい。これにより、コンクリート補強エレメント１０の上側半分６０が、予め形成された天井コンポーネントから突き出している下側半分と連結される。その後、コンクリートを注ぎ込むことによって天井が完成される。
【００４１】
このようにして予め形成された天井エレメントは、それらの重量が軽いだけでなく、寸法が小さいことから、取り扱いと輸送がずっと容易であるという利点がある。さらに、建設現場においてより柔軟なアレンジが可能になる。例えば、コンクリート補強エレメントの長さを様々に変えた上側半分を使用することによって、コンクリート天井の厚さを個々に設計することができる。様々な保持エレメント２０、特に、曲げ部４０もそれらの最終部分１４、１５においてそれらに追加されることができる。
【００４２】
半分５０、６０は、連続した強度及び形状で互いを取り囲むフック形状の連結部材５２、６２を用いて連結されることが好ましい。ここでは、連結部が常にテンションを受けていることが重要である。
図２４の実施の形態においては、コンクリート補強エレメント１０の下側半分５０はコイル状ロッド６６から形成された上側半分６０によって補完されている。これにより、上側半分はZ形状に傾斜していて、下側半分５０に設けられた適当なリセスの中に設置されることができる。
【００４３】
図２５はこの発明によるコンクリート補強エレメント１０の別の実施の形態における広いサイドにおける二つの図を示している。この実施の形態の特徴は、破線の間の領域が上下の領域に比べて鏡像面から後方あるいは前方にシフトしており、上側あるいは下側の領域に対して中へ入ったり外へ出たりしているという事実にある。これは、両方のコンポーネントの狭い方のエッジで見るとわかる。また、コンポーネント１０は、例えば、傾斜あるいは応力付与によって、例えば、コンポーネントの上部だけが下部に対してシフトされているような形態で実現されることも可能である。
【００４４】
これにより、両方の場合とも、二つのそうした同じコンポーネント１０において、それらがサイドリセス３０の開口部が設けられているエッジ１６で互いの中に押し込まれると、ダブテールが形成され、覆われた領域は、両方のコンポーネント１０がいっしょになってリセス３０を形成するようになる。このリセス３０は、その中に通された補強層BoあるいはBuのエレメントSが上方あるいは下方へ滑り落ちないように固定する。図２６の中央のコンクリート補強エレメント１０は、エレメントSごとに、上側及び下側の補強層Bo、Buの最も外側の層Bo x、Bu xの各々を取り囲んでいる。一方、図２６の右側に示されているコンクリート補強エレメント１０は上側及び下側の補強層Bo、Buの最も内側の層Bo y、Bu yのエレメントSのみを連結している。
【００４５】
コンポーネント１０の数及び実施の形態は、例えば、柱の領域にいおて、必要なパンチングせん断強度を実現するために、使用されるコンクリートのタイプ及び所望の荷重耐久能力に従って計算する必要がある。それぞれの場合、その結果として、コンポーネント１のせん断力耐性が著しく増大する。
【００４６】
この発明は前述した実施の形態の一つに限定されるわけではなく、多くの異なる方法で変形及び変更が可能である。例えば、コンクリート補強エレメントは鋼板、プラスチックあるいは複合材料などの他の材料から製造することができる。上側及び下側の補強層Bo、Buのいくつかの補強バーSを同時に取り囲むことができるように、コンクリート補強エレメント１０あるいは２次元構造体１２をそれらの長手中心Mに対して水平方向に延ばすこともできる。ここで、コンクリート補強エレメント１０は常に単純で平板状のシート金属コンポーネントであって、必要に応じて、端部あるいは中央において傾斜され、上部及び下部における保持エレメントが上側及び下側の補強層Bo、Buの補強バーSを受容あるいは取り囲むようにされていることに特徴がある。取り付けは複雑な溶接や組み付け作業を行わずに実施される。そして、上側及び下側の補強層Bo、Buはコンクリート補強エレメント１０によってしっかりと引っ張られ、それらが連続した強度で連結される。
【００４７】
構造上の詳細、空間的な配置、手続き的な段階を含めた特許請求の範囲、明細書、図面の特徴及び利点のすべてが、それら自身あるいは様々な組み合わせに関して、この発明にとって本質的なものであり得る。
【００４８】
参照番号リスト
a  角度
Bo、Bu  補強層
Bo y、Bu y  内層
Bo x、Bu x  外層
M  長手中心
S  コンクリート補強エレメント
１  補強コンクリート又はプレストレストコンクリートコンポーネント
１０  コンクリート補強エレメント
１２  主要コンポーネント
１４  上部
１５  下部
１６  長手方向エッジ
２０  保持エレメント
２４  凹部
２６  フラットバー
２８  クランプ
３０  リセス
３１  サブ領域
３２  延出部
３３  ノッチ状エッジ
３４  固定用手段
３５  受容部
３６  標識手段
４０  曲げ部
５０  下側半分
５２  連結部材
６０  上側半分
６２  連結部材
６６  コイル状ロッド
【図面の簡単な説明】
【００４９】
【図１】コンクリート補強エレメントの略側面図である。
【図２】コンクリート補強エレメントの別の実施の形態の略側面図である。
【図３】コンクリート補強エレメントの他の実施の形態の略側面図である。
【図４】コンクリート補強エレメントの他の実施の形態の略側面図である。
【図５】コンクリート補強エレメントの他の実施の形態の略側面図である。
【図６】コンクリート補強エレメントの他の実施の形態の略側面図である。
【図７】固定用手段を有するコンクリート補強エレメントの略側面図である。
【図８】異なる実施の形態の固定用手段を有するコンクリート補強エレメントの略側面図である。
【図９】さらに別の実施の形態の固定手段を有するコンクリート補強エレメントの略側面図である。
【図１０】コンクリート補強エレメントの他の実施の形態の略側面図である。
【図１１】コンクリート補強エレメントの他の実施の形態の略側面図である。
【図１２】コンクリート補強エレメントの他の実施の形態の略側面図である。
【図１３】コンクリート補強エレメントの他の実施の形態の略側面図である。
【図１４】コンクリート補強エレメントの他の実施の形態の略側面図である。
【図１５】コンクリート補強エレメントの他の実施の形態の略側面図である。
【図１６】コンクリート補強エレメントの他の実施の形態の略図である。
【図１７】凹状に形成された２次元構造体を有するコンクリート補強エレメントの略図である。
【図１８】連結された二つのコンクリート補強エレメントである。
【図１９】連結された三つのコンクリート補強エレメントである。
【図２０】連結された二つのコンクリート補強エレメントの異なる実施の形態である。
【図２１】連結式の二つのコンクリート補強エレメントの別の異なる実施の形態である。
【図２２】二つの部分に分割されたコンクリート補強エレメントの略断面図である。
【図２３】二つの部分に分割されたコンクリート補強エレメントの他の実施の形態の略断面図である。
【図２４】二つの部分に分割されたコンクリート補強エレメントのさらに別の実施の形態である。
【図２５】コンクリート補強エレメントの別の変形である。
【図２６】補強コンクリート又はプレストレストコンクリートコンポーネントの略図である。
【図１】
2006519944.tif 000003
【図２】
2006519944.tif 000004
【図３】
2006519944.tif 000005
【図４】
2006519944.tif 000006
【図５】
2006519944.tif 000007
【図６】
2006519944.tif 000008
【図７】
2006519944.tif 000009
【図８】
2006519944.tif 000010
【図９】
2006519944.tif 000011
2006519944.tif 000012
2006519944.tif 000013
2006519944.tif 000014
【図１６】
2006519944.tif 000015
【図１７】
2006519944.tif 000016
【図１８】
2006519944.tif 000017
【図１９】
2006519944.tif 000018
【図２０】
2006519944.tif 000019
【図２１】
2006519944.tif 000020
2006519944.tif 000021
【図２４】
2006519944.tif 000022
【図２５】
2006519944.tif 000023
【図２６】
2006519944.tif 000024
【国際調査報告】
2006519944.tif 000025
2006519944.tif 000026
2006519944.tif 000027
2006519944.tif 000028
2006519944.tif 000029
2006519944.tif 000030